(57)【要約】      （修正有）【課題】レンチキュラーを機械的に動かすことで複数の情報を観察者が移動することなく同一の場所において同一の視点で見られるムービングアートサインを提供する。【解決手段】ムービングアートサイン１Ａは、複数の情報、動きのあるアニメーションを表出するレンチキュラーレンズを含むレンチキュラー機構を備えたチェンジング表示部１０と、チェンジング表示部を支持する枠体２０と、枠体内に収容された複数本の蛍光灯により構成される光源３０と、枠体を鋭角的に首振り自在に支承する支承部４０と、支承部を首振り自在に回動させる駆動部５０とを備えている。【選択図】図１
0003144191.tif 000002
【実用新案登録請求の範囲】
【請求項１】
複数の情報、動きのあるアニメーションを表出するレンチキュラー機構を備えたチェンジング表示部と、
該チェンジング表示部を支持する枠体と、
該枠体内に収容された光源と、
前記枠体を間欠的に首振り自在に支承する支承部と、
該支承部を首振り自在に回動させる駆動部とを備え、
観察者は移動することなく前記チェンジング表示部の動きを同一の場所において同一の視点で見られることを特徴とするムービングアートサイン。
【請求項２】
断面が微細の蒲鉾状の凸レンズが無数に形成されたプラスチック製のレンチキュラーレンズと該レンチキュラーレンズの背面に印刷されたレンチキュラー画像とにより形成されるチェンジング表示部を有するムービングアートサインであって、
該チェンジング表示部を支持する枠体と、
該枠体内に収容された光源と、
前記枠体を鋭角的に首振り自在に支承する支承部と、
該支承部を首振り自在に回動させる駆動部とを備え、
観察者が移動することなく前記チェンジング表示部の動きを同一の場所において同一の視点で見られることを特徴とするムービングアートサイン。
【考案の詳細な説明】
【技術分野】
【０００１】  本考案は、レンチキュラー機構により形成されたチェンジング表示部を備えたムービングアートサイン（可動型看板）に関するものである。
【背景技術】
【０００２】  従来、レンチキュラーレンズの表面に直線状の山部と谷部を交互に形成し、レンチキュラーレンズの裏面に表示体をスクリーン印刷により直接印刷し、このレンチキュラーレンズを利用して宣伝広告する文字や図形の表示体が浮き上がって立体的に見えるように構成した立体看板が知られている。
【特許文献１】  特開２０００−２２１８９０公報
【考案の開示】
【考案が解決しようとする課題】
【０００３】  しかしながら、上記の立体看板にあっては、人が移動しないと情報が見れない、動きのあるアニメーション等の画像を動的に表示できない等の問題点を有している。【０００４】  従って本考案の目的は、レンチキュラーを機械的に動かすことで複数の情報を観察者が移動することなく同一の場所において同一の視点で見られるムービングアートサインを提供することにある。【０００５】  本考案の他の目的は、レンチキュラーを機械的に動かすことで動きのあるアニメーションなど動的に変化する画像を観察者が移動することなく同一の場所において同一の視点で見られるムービングアートサインを提供することにある。【０００６】  本考案のもう一つ他の目的は、角度によって異なる情報を提示できるムービングアートサインを提供することにある。
【課題を解決するための手段】
【０００７】  ムービングアートサインは、複数の情報、動きのあるアニメーションを表出するレンチキュラー機構を備えたチェンジング表示部と、該チェンジング表示部を支持する枠体と、該枠体内に収容された光源と、枠体を鋭角的に首振り自在に支承する支承部と、該支承部を首振り自在に回動させる駆動部とを備えている。【０００８】  本考案によれば、断面が微細の蒲鉾状の凸レンズが無数に形成されたプラスチック製のレンチキュラーレンズと該レンチキュラーレンズの背面にスクリーン印刷されたレンチキュラー画像とにより形成されるチェンジング表示部を有するムービングアートサインであって、該チェンジング表示部を支持する枠体と、該枠体内に収容された光源と、前記枠体を鋭角的に首振り自在に支承する支承部と、該支承部を首振り自在に回動させる駆動部とを備えてなるムービングアートサインが提供される。【０００９】  本考案で用いられる画像は、極めて細い幅の短冊状にされた画像（Ｌ，Ｍ，Ｎ）が並べられたものであり、各短冊はレンチキュラーレンズによって結像されて、一つの画像となる。
【考案の効果】
【００１０】  本考案によれば、次の効果を奏する。
（１）レンチキュラーを機械的に動かすことで複数の情報を観察者が移動することなく同一の場所において同一の視点で見られるムービングアートサインが得られる。
（２）レンチキュラーを機械的に動かすことで動きのあるアニメーションなど動的に変化する画像を観察者が移動することなく同一の場所において同一の視点で見られるムービングアートサインが得られる。
（３）角度によって異なる情報が得られるムービングアートサインが得られる。
【考案を実施するための最良の形態】
【００１１】  本考案に係るムービングアートサインは、複数の情報、動きのあるアニメーションを表出するレンチキュラー機構を備えたチェンジング表示部と、チェンジング表示部を支持する枠体と、枠体内に収容された光源と、枠体を鋭角的に首振り自在に支承する支承部と、支承部を首振り自在に回動させる駆動部とを備えている。観察者は移動することなくチェンジング表示部の動きを同一の場所において同一の視点で捉えられる。【００１２】  支承部は、支承部を構成する支柱の支軸を中心として、駆動部に配設された２つのカムをモータにより駆動させ鋭角的に首振り自在に回動する。
【実施例１】
【００１３】  以下は本考案の実施例１についての説明である。
図１は、基台にキャスターを備え移動可能なスタンドタイプのムービングアートサイン１Ａを示す正面図、
図２は、図１に示すムービングアートサインの右側面図、
図３は、図１に示すムービングアートサインの平面図、
図４、図５、図６は、図１に示すムービングアートサインを構成する枠体が支承部を構成する支柱の支軸を中心として鋭角的に首振り運動することを示す平面略図である。【００１４】  これらの図において、ムービングアートサイン１Ａは、複数の情報、動きのあるアニメーションを表出するレンチキュラーレンズを含むレンチキュラー機構を備えたチェンジング表示部１０と、該チェンジング表示部を支持する枠体２０と、該枠体内に収容された複数本の蛍光灯により構成される光源３０と、前記枠体を鋭角的に首振り自在に支承する支承部４０と、該支承部を首振り自在に回動させる駆動部５０とを備えている。観察者は前記チェンジング表示部１０の動きを自身が移動することなく同一の場所において同一の視点で捉えられる。符号６０はキャスターである。【００１５】  前記チェンジング表示部１０は、断面形状が蒲鉾状の凸レンズが微細（１ｍｍ程度）なピッチで無数に列設されることにより形成されているプラスチック製のレンチキュラーレンズ１１と、該レンチキュラーレンズの背面に印刷されたレンチキュラー画像とにより形成される。レンチキュラー画像は、サイン１Ａの観察者にメッセージを伝える３種類の画像を合成して前記レンチキュラーレンズ１１の背面に直接インジェクトあるいはその他のオフセット印刷、シルクスクリーン印刷等により印刷されている。この画像は、細長い短冊状にされ、その画像をインターレース状に順番に並べ１枚の画像とされている。そして、画像の細片Ｌ、Ｍ、Ｎの集合体を１ユニットとして１ユニットが１つの凸レンズに載るように印刷される（図７乃至図９）。かくして、前記チェンジング表示部１０の角度が変わると［図１３（ａ）、図１４（ａ）、図１５（ａ）］、同一の場所において同一の視点で異なる３つの画像１４（「営業中」の表示），１５（「ラーメン」の表示），１６（「餃子」の表示）を見ることができる［図１０乃至図１２、図１３（ｂ）、図１４（ｂ）、図１５（ｂ）］。また、レンチキュラー画像を、少しずつ異なる画像を多数枚組み合わせた画像とすることにより、前記チェンジング表示部１０の角度が変わると［図１６（ａ）、図１７（ａ）、図１８（ａ）］、同一の場所において同一の視点でアニメーション効果により画像１７，１８，１９が連続した動画として見られる［図１６（ｂ）、図１７（ｂ）、図１８（ｂ）］。【００１６】  この実施例によれば、レンチキュラーを機械的に動かすことで複数の情報、動きのあるアニメーションなどを観察者が移動することなく同一の場所における同一の視点で見られるムービングアートサインが得られる。また、移動可能なスタンドタイプのムービングアートサインが得られる。
【実施例２】
【００１７】  図１９乃至図２２に，側壁に取着する壁突出タイプのムービングアートサイン１Ｂを示す。【００１８】  ムービングアートサイン１Ｂは、複数の情報、動きのあるアニメーションを表出するレンチキュラー機構を備えたチェンジング表示部１１０と、該チェンジング表示部を支持する枠体１２０と、該枠体内に収容された光源１３０と、前記枠体を鋭角的に首振り自在に支承する支承部１４０と、該支承部を首振り自在に回動させる駆動部１５０とを備えている。前記チェンジング表示部１１０の動きを観察者は移動することなく同一の場所において同一の視点で見られる。また、この実施例によれば、側壁に取着する壁突出タイプのムービングアートサイン得られる。
【実施例３】
【００１９】  図２３乃至図２６に側壁に取着する横付タイプのムービングアートサイン１Ｃを示す。【００２０】  ムービングアートサイン１Ｃは、複数の情報、動きのあるアニメーションを表出するレンチキュラー機構を備えたチェンジング表示部２１０と、該チェンジング表示部を支持する枠体２２０と、該枠体内に収容された光源２３０と、前記枠体を鋭角的に首振り自在に支承する支承部２４０と、該支承部を首振り自在に回動させる駆動部２５０とを備えている。前記チェンジング表示部２１０の動きを観察者は移動することなく同一の場所において同一の視点で見られる。この実施例によれば、側壁に取着する横付タイプのムービングアートサインが得られる。
【実施例４】
【００２１】  図２７乃至図２９にポールサインタイプの大型のムービングアートサイン１Ｄを示す。【００２２】  ムービングアートサイン１Ｄは、複数の情報、動きのあるアニメーションを表出するレンチキュラー機構を備えたチェンジング表示部３１０と、該チェンジング表示部を支持する枠体３２０と、該枠体内に収容された光源３３０と、前記枠体を鋭角的に首振り自在に支承する支承部３４０と、該支承部を首振り自在に回動させる駆動部３５０とを備えている。前記チェンジング表示部３１０の動きを観察者は移動することなく同一の場所において同一の視点で捉えられる。また、この実施例によれば、大型のチェンジング表示部を備えたムービングアートサインが得られる。
【図面の簡単な説明】
【００２３】
【図１】  基台にキャスターを備え移動可能なスタンドタイプのムービングアートサイン１Ａを示す正面図である。
【図２】  図１に示すムービングアートサインの右側面図である。
【図３】  図１に示すムービングアートサインの平面図である。
【図４】  図１に示すムービングアートサインを構成する枠体が支承部を構成する支柱の支軸を中心として鋭角的に首振り運動することを示す平面略図である。
【図５】  図１に示すムービングアートサインを構成する枠体が支承部を構成する支柱の支軸を中心として鋭角的に首振り運動することを示す図であり、図４の状態から時計方向に鋭角的に回転した状態を示す平面略図である。
【図６】  図１に示すムービングアートサインを構成する枠体が支承部を構成する支柱の支軸を中心として鋭角的に首振り運動することを示す図であり、図５の状態から更に時計方向に鋭角的に回転した状態を示す平面略図である。
【図７】  ムービングアートサインを構成するチェンジング表示部が図４の状態にあるときに、観察者の視点とチェンジング表示部との関係を示すチェンジング表示部の断面略図である。
【図８】  ムービングアートサインを構成するチェンジング表示部が図５の状態にあるときに、観察者の視点とチェンジング表示部との関係を示すチェンジング表示部の断面略図である。
【図９】  ムービングアートサインを構成するチェンジング表示部が図６の状態にあるときに、観察者の視点とチェンジング表示部との関係を示すチェンジング表示部の断面略図である。
【図１０】  ムービングアートサインを構成するチェンジング表示部に第１の画像（「営業中」の表示）が現われていることを示すチェンジング表示部の斜視図である。
【図１１】  ムービングアートサインを構成するチェンジング表示部に第２の画像（「ラーメン」の表示）が現われていることを示すチェンジング表示部の斜視図である。
【図１２】  ムービングアートサインを構成するチェンジング表示部に第２の画像（「餃子」の表示）が現われていることを示すチェンジング表示部の斜視図である。
【図１３】  ムービングアートサインを構成するチェンジング表示部が図４の状態にあるときを示し、（ａ）はその平面図、（ｂ）は観察者がチェンジング表示部の第１の画像を観察している状態を示す正面図である。
【図１４】  ムービングアートサインを構成するチェンジング表示部が図５の状態にあるときを示し、（ａ）はその平面図、（ｂ）は観察者がチェンジング表示部の第２の画像を観察している状態を示す正面図である。
【図１５】  ムービングアートサインを構成するチェンジング表示部が図６の状態にあるときを示し、（ａ）はその平面図、（ｂ）は観察者がチェンジング表示部の第３の画像を観察している状態を示す正面図である。
【図１６】  ムービングアートサインを構成するチェンジング表示部が図４の状態にあるときを示し、（ａ）はその平面図、（ｂ）は観察者がチェンジング表示部に現われる動的画像を観察している状態を示す正面図である。
【図１７】  ムービングアートサインを構成するチェンジング表示部が図５の状態にあるときを示し、（ａ）はその平面図、（ｂ）は観察者がチェンジング表示部に現われる動的画像を観察している状態を示す正面図である。
【図１８】  ムービングアートサインを構成するチェンジング表示部が図６の状態にあるときを示し、（ａ）はその平面図、（ｂ）は観察者がチェンジング表示部に現われる動的画像を観察している状態を示す正面図である。
【図１９】  側壁に取着する壁突出タイプのムービングアートサイン１Ｂの設置状態を示す斜視図である。
【図２０】  ムービングアートサイン１Ｂの設置状態を示す正面図である。
【図２１】  ムービングアートサイン１Ｂの側面図である。
【図２２】  ムービングアートサイン１Ｂの設置状態を示す平面図である。
【図２３】  側壁に取着する横付タイプのムービングアートサイン１Ｃの設置状態を示す斜視図である。
【図２４】  ムービングアートサイン１Ｃの設置状態を示す正面図である。
【図２５】  ムービングアートサイン１Ｃの側面図である。
【図２６】  ムービングアートサイン１Ｃの設置状態を示す平面図である。
【図２７】  ポールサインタイプの大型のムービングアートサイン１Ｄの正面図を示す。
【図２８】  ムービングアートサイン１Ｄの側面図である。
【図２９】  ムービングアートサイン１Ｄ平面図である。
【符号の説明】
【００２４】  １Ａ      ムービングアートサイン
１Ｂ      ムービングアートサイン
１Ｃ      ムービングアートサイン
１Ｄ      ムービングアートサイン
１０      チェンジング表示部
１１      レンチキュラーレンズ
２０      枠体
３０      光源
４０      支承部
５０      駆動部
６０      キャスター
１１０      チェンジング表示部
１１１      レンチキュラーレンズ
１２０      枠体
１３０      光源
１４０      支承部
１５０      駆動部
２１０      チェンジング表示部
２１１      レンチキュラーレンズ
２２０      枠体
２３０      光源
２４０      支承部
２５０      駆動部
２１０      チェンジング表示部
２１１      レンチキュラーレンズ
２２０      枠体
２３０      光源
２４０      支承部
２５０      駆動部
【図１】
0003144191.tif 000003
【図２】
0003144191.tif 000004
【図３】
0003144191.tif 000005
【図４】
0003144191.tif 000006
【図５】
0003144191.tif 000007
【図６】
0003144191.tif 000008
【図７】
0003144191.tif 000009
【図８】
0003144191.tif 000010
【図９】
0003144191.tif 000011
【図１０】
0003144191.tif 000012
【図１１】
0003144191.tif 000013
【図１２】
0003144191.tif 000014
【図１３（ａ）】
0003144191.tif 000015
【図１３（ｂ）】
0003144191.tif 000016
【図１４（ａ）】
0003144191.tif 000017
【図１４（ｂ）】
0003144191.tif 000018
【図１５（ａ）】
0003144191.tif 000019
【図１５（ｂ）】
0003144191.tif 000020
【図１６（ａ）】
0003144191.tif 000021
【図１６（ｂ）】
0003144191.tif 000022
【図１７（ａ）】
0003144191.tif 000023
【図１７（ｂ）】
0003144191.tif 000024
【図１８（ａ）】
0003144191.tif 000025
【図１８（ｂ）】
0003144191.tif 000026
【図１９】
0003144191.tif 000027
【図２０】
0003144191.tif 000028
【図２１】
0003144191.tif 000029
【図２２】
0003144191.tif 000030
【図２３】
0003144191.tif 000031
【図２４】
0003144191.tif 000032
【図２５】
0003144191.tif 000033
【図２６】
0003144191.tif 000034
【図２７】
0003144191.tif 000035
【図２８】
0003144191.tif 000036
【図２９】
0003144191.tif 000037